(57)【要約】【課題】  更新予定時間前にあらかじめ更新準備可能で、かつプログラム更新により情報処理装置の処理に影響を与えることを防止する情報処理装置を提供する。【解決手段】  プログラム更新の開始指示と開始時間と負荷基準値を受信した場合、開始時間の到達を確認し、負荷監視部に情報処理装置の負荷率を確認し、確認した負荷率が負荷基準値以上の場合、負荷率が負荷基準値未満になるまで待機し、負荷率が負荷基準値未満の場合、プログラムを更新する更新制御部と、情報処理装置の負荷率を監視する負荷監視部とを備える情報処理装置。【選択図】      図１
2018147448.tif 000002
【特許請求の範囲】
【請求項１】
プログラムの更新の開始を指示する開始指示と開始時間を取得した場合、前記開始時間の到達を確認し、負荷監視部に情報処理装置の負荷率を確認し、確認した前記負荷率が負荷基準値以上の場合、前記負荷率が前記負荷基準値未満になるまで待機し、前記負荷率が前記負荷基準値未満の場合、プログラムを更新する更新制御部と、
前記情報処理装置の前記負荷率を監視する負荷監視部と
を備える情報処理装置。
【請求項２】
前記更新制御部が前記プログラムを更新した後、情報処理装置の第１の記憶部から更新する前記プログラムを情報処理装置のＲＡＭ（Ｒａｎｄｏｍ  Ａｃｃｅｓｓ  Ｍｅｍｏｒｙ）にロードする起動制御部をさらに有し、
前記更新制御部は、前記開始時間の到達の確認を情報処理装置のＲＴＣ（Ｒｅａｌ  Ｔｉｍｅ  Ｃｌｏｃｋ）を参照して確認し、
前記負荷監視部は、前記情報処理装置の負荷率の確認を情報処理装置のＣＰＵ（Ｃｅｎｔｒａｌ  Ｐｒｏｃｅｓｓｉｎｇ  Ｕｎｉｔ）とメモリとＨＤＤ（Ｈａｒｄ  Ｄｉｓｋ  Ｄｒｉｖｅ）の少なくとも１つの稼働状態に基づき前記負荷率を算出し確認し、
前記更新制御部が前記プログラムの更新を開始した場合、前記更新制御部は、更新する前記プログラムを前記情報処理装置の第１の記憶部に記憶し、記憶完了した後、前記起動制御部に記憶完了を通知し、
前記起動制御部は、前記プログラムを前記情報処理装置のＲＡＭにロードし、ロード完了後、前記更新制御部にロード完了を通知し、
前記更新制御部は、前記負荷監視部に前記情報処理装置の前記負荷率を確認し、前記負荷率が前記負荷基準値未満の場合、前記情報処理装置の第２の記憶部に前記プログラムを記憶する
請求項１に記載の情報処理装置。
【請求項３】
プログラムの更新の開始を指示する開始指示と開始時間を取得した場合、前記開始時間の到達時、情報処理装置の負荷率を確認し、
確認した前記負荷率が負荷基準値以上の場合、前記負荷率が前記負荷基準値未満になるまで待機し、
前記負荷率が前記負荷基準値未満の場合、プログラムの更新を開始する
管理制御装置のプログラム更新制御方法。
【請求項４】
前記開始時間の到達の確認を情報処理装置のＲＴＣを参照して確認し、
前記情報処理装置の負荷率の確認を情報処理装置のＣＰＵとメモリとＨＤＤの少なくとも１つの稼働状態に基づき前記負荷率を算出し確認し、
前記プログラムの更新を開始した場合、更新する前記プログラムを前記情報処理装置の第１の記憶部に記憶し、
記憶完了した後、前記プログラムを前記情報処理装置のＲＡＭにロードし、
ロード完了後、前記情報処理装置の負荷率を確認し、前記負荷率が前記負荷基準値未満の場合、前記情報処理装置の第２の記憶部に前記プログラムを記憶する
請求項３に記載の管理制御装置のプログラム更新制御方法。
【請求項５】
プログラムの更新の開始を指示する開始指示と開始時間を取得した場合、前記開始時間の到達時、情報処理装置の負荷率を確認し、
確認した前記負荷率が負荷基準値以上の場合、前記負荷率が前記負荷基準値未満になるまで待機し、
前記負荷率が前記負荷基準値未満の場合、プログラムの更新を開始する処理
を情報処理装置に実行させるプログラム更新制御プログラム。
【請求項６】
前記開始時間の到達の確認を情報処理装置のＲＴＣを参照して確認し、
前記情報処理装置の負荷率の確認を情報処理装置のＣＰＵとメモリとＨＤＤの稼働状態を監視して前記負荷率を算出し確認し、
前記プログラムの更新を開始した場合、更新する前記プログラムを前記情報処理装置の第１の記憶部に記憶し、
記憶完了した後、前記プログラムを前記情報処理装置のＲＡＭにロードし、
ロード完了後、前記情報処理装置の負荷率を確認し、前記負荷率が前記負荷基準値未満の場合、前記情報処理装置の第２の記憶部に前記プログラムを記憶する処理
を情報処理装置に実行させる請求項５に記載のプログラム更新制御プログラム。
【発明の詳細な説明】
【技術分野】
【０００１】
本発明は、情報処理装置、管理制御装置のプログラムの更新制御方法、及びそのためのプログラム更新制御プログラムに関する。
【背景技術】
【０００２】
情報処理装置において、管理制御装置のプログラムの更新を制御する技術が知られている。この技術は、情報処理装置の異常の有無を監視する管理制御装置のプログラムの更新を制御する。
【０００３】
管理制御装置のプログラムの更新を制御する技術の一例が特許文献１に記載されている。特許文献１に記載されたファームウェア更新方法は、ＣＰＵ負荷値が所定のＣＰＵ負荷閾値未満である場合、ファームウェア更新手段は、ＯＳおよびアプリケーションプログラムの実行を一時的に停止させ、外部記憶装置から更新用ファームウェアを取得する。その後、ファームウェア更新手段は、ファームウェア記憶手段に格納されているファームウェアを、更新用ファームウェアで書き換える。
【０００４】
また、特許文献２に記載されたファームウェア実行装置は、ファームウェアを表す情報を保持する領域を少なくとも２つ有する。ファームウェア実行装置は、ファームウェアの更新時、２つの領域の一方に保持されたファームウェアを表す情報を実行中に、２つの領域の他方に更新用のファームウェアを表す情報を保持させ、更新用のファームウェアを表す情報を用いて再起動を行う。再起動の際に、メモリに保持される情報に基づくレジュームイメージを、２つの領域のうち更新前のファームウェアを表す情報が保持されていた領域に保持する。
【０００５】
また、特許文献３に記載されたファームウェア実行方法は、ファームウェアのアップデート開始時刻を決定し、アップデート開始時刻に達すると、アップデート用データを用いてファームウェアのアップデートを開始する。
【先行技術文献】
【特許文献】
【０００６】
【特許文献１】特開２０１５−０５５９１６号公報
【特許文献２】特開２０１５−０５５９１７号公報
【特許文献３】特開２０１６−０９９７７５号公報
【発明の概要】
【発明が解決しようとする課題】
【０００７】
しかしながら、上述した特許文献１および２に記載された技術は、利用者からファームウェアの更新の指示を受け取ると、すみやかにファームウェアの更新の処理を開始する。したがって、特許文献１および２に記載された技術は、更新予定時間前にあらかじめ更新の準備ができず、更新予定時間になってからファームウェア更新を指示する必要があるという問題点がある。
【０００８】
また、特許文献３に記載された技術は、アップデート開始時刻に達すると、アップデート用データを読出し、ファームウェアのアップデートを開始する。したがって、特許文献３に記載された技術は、アップデート開始時刻に情報処理装置が重要な処理を実施していた場合、アップデートの回避ができず、情報処理装置の処理に影響を与えることを防止できないという問題点がある。
【０００９】
本発明の目的の一例は、上述した問題点を解決できる情報処理装置、管理制御装置のプログラム更新制御方法およびプログラム更新制御プログラムを提供することにある。具体的には、本発明の目的の一例は、更新予定時間前にあらかじめ更新準備可能で、かつプログラム更新により情報処理装置の処理に影響を与えることを防止する情報処理装置、管理制御装置のプログラム更新制御方法およびプログラム更新制御プログラムを提供することにある。
【課題を解決するための手段】
【００１０】
本発明の一形態における第１の情報処理装置は、プログラム更新の開始指示と開始時間と負荷基準値を受信した場合、開始時間の到達を確認し、負荷監視部に情報処理装置の負荷率を確認し、確認した負荷率が負荷基準値以上の場合、負荷率が負荷基準値未満になるまで待機し、負荷率が負荷基準値未満の場合、プログラムを更新する更新制御部と、情報処理装置の負荷率を監視する負荷監視部とを備える。
【００１１】
本発明の一形態における第１の管理制御装置のプログラム更新制御方法は、プログラム更新の開始指示と開始時間と負荷基準値を受信した場合、開始時間の到達時、情報処理装置の負荷率を確認し、確認した負荷率が負荷基準値以上の場合、負荷率が負荷基準値未満になるまで待機し、負荷率が負荷基準値未満の場合、プログラムの更新を開始する。
【００１２】
本発明の一形態における第１のプログラム更新制御プログラムは、情報処理装置に、プログラム更新の開始指示と開始時間と負荷基準値を受信した場合、開始時間の到達時、情報処理装置の負荷率を確認し、確認した負荷率が負荷基準値以上の場合、負荷率が負荷基準値未満になるまで待機し、負荷率が負荷基準値未満の場合、プログラムの更新を開始する処理を実行させる。
【発明の効果】
【００１３】
本発明によれば、更新予定時間前にあらかじめ更新準備可能で、かつプログラム更新により情報処理装置の処理に影響を与えることを防止するという効果が得られる。
【図面の簡単な説明】
【００１４】
【図１】図１は、本発明の第１の実施形態における管理制御装置１００を含む情報処理装置１０００の構成を示すブロック図である。
【図２】図２は、第１の実施の形態における情報処理装置１０００をコンピュータ装置とその周辺装置で実現したハードウェア構成を示す図である。
【図３】図３は、第１の実施の形態における情報処理装置１０００での管理制御装置１００のプログラム更新制御の動作の概要を示すフローチャートである。
【図４】図４は、本発明の第２の実施形態に係る情報処理装置２０００の構成を示すブロック図である。
【図５】図５は、第２の実施の形態における情報処理装置２０００での管理制御装置２００のプログラム更新制御の動作の概要を示すフローチャートである。
【発明を実施するための形態】
【００１５】
次に、本発明の実施形態について図面を参照して詳細に説明する。
【００１６】
［第１の実施の形態］
図１は、本発明の第１の実施の形態における管理制御装置１００を含む情報処理装置１０００の構成を示すブロック図である。図１を参照すると、管理制御装置１００は、更新制御部１１０と負荷監視部１２０と、を備える。また、情報処理装置１０００は、管理制御装置１００と情報処理装置制御部１４０とプログラム記憶部１６０と、を備える。なお、管理制御装置１００は、情報処理装置１０００の異常の有無、たとえば情報処理装置１０００の温度や電圧に異常があるか否かを監視する。本実施形態において更新されるプログラムは、情報処理装置１０００のファームウェアであって、情報処理装置１０００に組み込まれたコンピュータハードウェアを制御するためのソフトウェアである。
【００１７】
次に、第１の実施の形態における管理制御装置１００の構成について説明する。
【００１８】
更新制御部１１０は、プログラム（ファームウェア）の更新の開始指示と更新の開始時間を取得した場合、開始時間の到達を確認し、負荷監視部１２０から情報処理装置１０００の負荷率を確認する。取得は、図示しない入力装置の操作入力による取得と、他のデバイスからの受信であってもよい。更新制御部１１０は、負荷基準値を取得してもよい。開始時間の到達は、情報処理装置制御部１４０に含まれるＲＴＣ（Ｒｅａｌ  Ｔｉｍｅ  Ｃｌｏｃｋ）から現在時刻の情報を取得することによって確認してもよいし、図示しない外部装置から現在時刻の情報を取得して確認してもよい。開始時間の到達の確認の手段は限定しない。確認した負荷率が負荷基準値以上の場合、更新制御部１１０は、負荷率が負荷基準値未満になるまで待機し、負荷率が負荷基準値未満の場合、プログラム記憶部１６０に更新したプログラムを記憶する。なお、プログラム記憶部１６０に記憶する更新したプログラムは、図示しない外部装置から入手する方法でもよいし、プログラム更新の開始指示と開始時間と負荷基準値を受信する場合に更新したプログラムも共に受信してもよい。更新制御部１１０が更新したプログラムを入手する方法は、限定しない。また、プログラム更新の開始指示と開始時間と負荷基準値を受信する場合も、情報処理装置１０００の管理者が図示しない外部装置から更新制御部１１０に送信してもよいし、情報処理装置１０００の図示しない入力部を操作することにより送信してもよい。更新制御部１１０に送信する手段は、限定しない。
【００１９】
負荷監視部１２０は、情報処理装置制御部１４０から情報処理装置１０００の負荷率を取得する。もしくは負荷監視部１２０は、直接情報処理装置１０００の負荷率を測定し、監視する。情報処理装置１０００の負荷率はどのような方法で算出してもよい。例えば、情報処理装置１０００のＣＰＵ（Ｃｅｎｔｒａｌ  Ｐｒｏｃｅｓｓｉｎｇ  Ｕｎｉｔ）の使用率でもよいし、ＣＰＵとメモリとＨＤＤ（Ｈａｒｄ  Ｄｉｓｋ  Ｄｒｉｖｅ）のそれぞれの使用率の合計もしくは平均でもよい。
【００２０】
次に、第１の実施の形態における管理制御装置１００以外の情報処理装置１０００の構成について説明する。
【００２１】
情報処理装置制御部１４０は、プログラム更新制御以外の情報処理装置１０００の処理を制御する。情報処理装置制御部１４０は、情報処理装置１０００のＣＰＵで構成される。また、情報処理装置制御部１４０は、情報処理装置１０００の負荷率を算出する。算出方法は、前述の通りである。
【００２２】
プログラム記憶部１６０は、現在管理制御装置１００がロードしているプログラムを記憶する。
【００２３】
図２は、本発明の第１の実施の形態における情報処理装置１０００をコンピュータ装置で実現した場合のハードウェア構成例を示す図である。図２に示されるように、情報処理装置１０００は、それぞれ通信インタフェース１０、ＣＰＵ１１、出力装置１２、入力装置１３、主記憶装置１４、および二次記憶装置１５を含む。
【００２４】
通信インタフェース１０は、処理装置および周辺端末との通信のための入出力インタフェースを構成する。また通信インタフェース１０は、情報処理装置１０００に接続する図示しないネットワークとの接続制御のためのインタフェースも含む。
【００２５】
ＣＰＵ１１は、オペレーティングシステムを動作させて本発明の第１の実施の形態に係る情報処理装置１０００の全体を制御する。また、ＣＰＵ１１は、例えば二次記憶装置１５から主記憶装置１４にプログラムまたはデータを読み出す。具体的には、情報処理装置１０００のＣＰＵ１１は、第１の実施の形態における管理制御装置１００と情報処理装置制御部１４０として動作し、それぞれプログラム制御に基づいて各種の処理を実行する。また、情報処理装置１０００のＣＰＵ１１は、１つに限らず２つ以上備えていてもよい。
【００２６】
出力装置１２は、例えばディスプレイ、表示器で実現され、出力を確認するために用いられる。
【００２７】
入力装置１３は、例えばマウスやキーボード、内蔵のキーボタン等で実現され、入力操作に用いられる。入力装置１３は、マウスやキーボード、内蔵のキーボタンに限らず、例えばタッチパネルでもよい。
【００２８】
主記憶装置１４は、ＣＰＵ１１の制御に基づく作業用メモリである。
【００２９】
二次記憶装置１５は、例えば光ディスク、フレキシブルディスク、磁気光ディスク、外付けハードディスク、または半導体メモリ等であって、コンピュータプログラムをコンピュータ読み取り可能に記録する。二次記憶装置１５は、情報処理装置１０００が実行するためのコンピュータプログラムおよびファームウェアを一時的に記憶するまたは非一時的に記憶する。したがって、ＣＰＵ１１は、二次記憶装置１５に記録されているコンピュータプログラムを読み込み、そのプログラムにしたがって、管理制御装置１００と情報処理装置制御部１４０として動作してもよい。
【００３０】
また、コンピュータプログラムは、通信網に接続されている図示しない外部コンピュータからダウンロードされてもよい。また、情報処理装置１０００の二次記憶装置１５は、第１の実施の形態におけるプログラム記憶部１６０として機能する。
【００３１】
なお、第１の実施の形態の説明において利用されるブロック図（図１）には、機能単位のブロックが示されている。これらの機能ブロックは、図２に示すコンピュータ装置に限らず、各部がハードウェア回路によって実現されてもよい。ただし、情報処理装置１０００が備える各部の実現手段は特に限定されない。すなわち、情報処理装置１０００は、物理的に結合した１つの装置により実現されてもよいし、物理的に分離した２つ以上の装置を有線または無線で接続し、これら複数の装置により実現されてもよい。
【００３２】
以上のように構成された情報処理装置１０００の動作について、図３のフローチャートを参照して説明する。
【００３３】
図３は、第１の実施の形態における情報処理装置１０００での管理制御装置１００のプログラム（ファームウェア）の更新制御の動作の概要を示すフローチャートである。尚、このフローチャートによる処理は、前述したＣＰＵによるプログラム制御に基づいて、実行されても良い。
【００３４】
図３に示すように、まず、更新制御部１１０は、プログラム更新の開始指示と開始時間を取得した場合（ステップＳ１０１）、現在時刻が開始時間に到達しているか確認する（ステップＳ１０２）。開始時間に到達していない場合（ステップＳ１０２でＮＯ）、開始時間に到達するまで待機する。
【００３５】
開始時間に到達した場合（ステップＳ１０２でＹＥＳ）、次に、更新制御部１１０は、負荷監視部１２０から情報処理装置１０００の負荷率を取得する（ステップＳ１０３）。
【００３６】
次に、更新制御部１１０は、負荷基準値と、負荷監視部１２０から取得した情報処理装置１０００の負荷率とを比較する（ステップＳ１０４）。負荷基準値は、ステップＳ１０１で取得されても、あらかじめ設定されてもよい。
負荷率が負荷基準値以上の場合（ステップＳ１０４でＮＯ）、ステップＳ１０３に戻り、再度負荷率を取得する。
【００３７】
負荷率が負荷基準値未満の場合（ステップＳ１０４でＹＥＳ）、次に、更新制御部１１０は、プログラム記憶部１６０に更新したプログラムを記憶する（ステップＳ１０５）。
【００３８】
以上で、情報処理装置１０００は、管理制御装置１００のプログラム更新制御の動作を終了する。
【００３９】
次に、本発明の第１の実施の形態の効果について説明する。
【００４０】
上述した本実施形態における情報処理装置１０００は、更新予定時間前にあらかじめ更新準備可能で、かつプログラム更新により情報処理装置の処理に影響を与えることを防止できる。
【００４１】
その理由は、以下のような構成を含むからである。即ち、第１に更新制御部１１０は、プログラム更新の開始指示と開始時間を取得した場合、現在時刻が開始時間に到達しているか確認する。開始時間に到達していない場合、開始時間に到達するまで待機する。第２に、更新制御部１１０は、受信した負荷基準値と、情報処理装置１０００の負荷率とを比較する。負荷率が負荷基準値以上の場合、負荷率が負荷基準値未満になるまで待機し、負荷率が負荷基準値未満の場合、プログラム記憶部１６０に更新したプログラムを記憶する。これにより、更新制御部１１０は、開始時間が到達していない場合または負荷率が負荷基準値以上の場合、プログラム記憶部１６０に更新したプログラムを記憶しない。したがって、情報処理装置１０００の管理者は、更新予定時間を開始時間として設定することにより、プログラム更新前に開始指示を更新制御部１１０に送信することが可能である。また、情報処理装置１０００の管理者は、情報処理装置１０００の処理に影響を与えずにプログラム更新が可能な負荷率を負荷基準値として設定することも可能である。これにより、情報処理装置１０００は、更新予定時間前にあらかじめ更新準備可能で、かつプログラム更新により情報処理装置の処理に影響を与えることを防止できるという効果が得られる。
【００４２】
［第２の実施形態］
次に、本発明の第２の実施形態について図面を参照して詳細に説明する。以下、本実施形態の説明が不明確にならない範囲で、前述の説明と重複する内容については説明を省略する。
【００４３】
図４は、本発明の第２の実施形態に係る情報処理装置２０００の構成を示すブロック図である。
【００４４】
図４を参照すると、本実施形態における情報処理装置２０００は、第１の実施形態のそれと比べて、管理制御装置１００の代わりに管理制御装置２００を備える。また、情報処理装置２０００は、情報処理装置制御部１４０の代わりにＲＴＣ２４０、ＣＰＵ２５１、メモリ２５２、ＨＤＤ２５３、ＲＡＭ（Ｒａｎｄｏｍ  Ａｃｃｅｓｓ  Ｍｅｍｏｒｙ）２７０を備える。また、情報処理装置２０００は、プログラム記憶部１６０の代わりに待機系プログラム記憶部２６０と運用系プログラム記憶部２６１を備える。管理制御装置２００は、更新制御部１１０と負荷監視部１２０の代わりに更新制御部２１０と負荷監視部２２０と起動制御部２３０を備える。待機系プログラム記憶部２６０と運用系プログラム記憶部２６１は、それぞれ一般には第１の記憶部、第２の記憶部とも呼ばれる。
【００４５】
更新制御部２１０は、情報処理装置２０００のＲＴＣ２４０から現在時刻を取得し、受信した開始時刻と照合することで開始時間に到達したか否かを確認する。また、更新制御部２１０は、負荷率が負荷基準値未満の場合、更新するプログラムを情報処理装置２０００の待機系プログラム記憶部２６０に記憶し、記憶完了した後、起動制御部２３０に記憶完了を通知する。また、起動制御部２３０からロード完了を通知された場合、更新制御部２１０は、負荷監視部２２０に情報処理装置２０００の負荷率を確認し、負荷率が負荷基準値未満の場合、情報処理装置２０００の運用系プログラム記憶部２６１にプログラム（ファームウェア）を記憶する。
【００４６】
負荷監視部２２０は、情報処理装置２０００のＣＰＵ２５１、メモリ２５２、ＨＤＤ２５３のうち少なくとも１つの使用率の合計もしくは平均として情報処理装置２０００の負荷率を定期的に算出し、監視する。負荷監視部２２０が負荷率を算出するタイミング、周期は適宜情報処理装置２０００の管理者が決定してよい。
【００４７】
起動制御部２３０は、更新制御部２１０から記憶完了を通知された場合、情報処理装置２０００の待機系プログラム記憶部２６０から更新するプログラムを情報処理装置２０００のＲＡＭ２７０にロードする。ロードが完了した後、起動制御部２３０は、更新制御部２１０にロード完了を通知する。
【００４８】
次に、情報処理装置２０００の動作について図５に示すフローチャートを参照して説明する。
【００４９】
図５は、第２の実施の形態における情報処理装置２０００での管理制御装置２００のプログラム更新制御の動作の概要を示すフローチャートである。尚、このフローチャートによる処理も、前述したＣＰＵによるプログラム制御に基づいて、実行されても良い。
【００５０】
図５に示すように、まず、更新制御部２１０は、プログラム更新の開始指示と開始時間と負荷基準値を受信した場合（ステップＳ２０１）、ＲＴＣ２４０から現在時刻を取得する。更新制御部２１０は、取得した現在時刻と受信した開始時刻と照合することで開始時間に到達したか否かを確認する（ステップＳ２０２）。開始時間に到達していない場合（ステップＳ２０２でＮＯ）、開始時間に到達するまで待機する。
【００５１】
開始時間に到達した場合（ステップＳ２０２でＹＥＳ）、次に、更新制御部２１０は、負荷監視部２２０から情報処理装置２０００の負荷率を取得する（ステップＳ２０３）。
【００５２】
次に、更新制御部２１０は、受信した負荷基準値と、負荷監視部２２０から取得した情報処理装置２０００の負荷率とを比較する（ステップＳ２０４）。負荷率が負荷基準値以上の場合（ステップＳ２０４でＮＯ）、ステップＳ２０３に戻り、再度負荷率を取得する。
【００５３】
負荷率が負荷基準値未満の場合（ステップＳ２０４でＹＥＳ）、次に、更新制御部２１０は、更新するプログラムを情報処理装置２０００の待機系プログラム記憶部２６０に記憶する（ステップＳ２０５）。
【００５４】
次に、更新制御部２１０は、起動制御部２３０に記憶完了を通知する（ステップＳ２０６）。
【００５５】
次に、起動制御部２３０は、情報処理装置２０００の待機系プログラム記憶部２６０から更新するプログラムを情報処理装置２０００のＲＡＭ２７０にロードする（ステップＳ２０７）。
【００５６】
次に、起動制御部２３０は、更新制御部２１０にロード完了を通知する（ステップＳ２０８）。
【００５７】
次に、更新制御部２１０は、負荷監視部２２０から情報処理装置２０００の負荷率を取得する（ステップＳ２０９）。
【００５８】
次に、更新制御部２１０は、受信した負荷基準値と、ステップＳ２０９で負荷監視部２２０から取得した情報処理装置２０００の負荷率とを比較する（ステップＳ２１０）。負荷率が負荷基準値以上の場合（ステップＳ２１０でＮＯ）、ステップＳ２０９に戻り、再度負荷率を取得する。
【００５９】
負荷率が負荷基準値未満の場合（ステップＳ２１０でＹＥＳ）、次に、更新制御部２１０は、更新するプログラムを情報処理装置２０００の運用系プログラム記憶部２６１に記憶する（ステップＳ２１１）。
【００６０】
以上で、情報処理装置２０００は、管理制御装置２００のプログラム更新制御の動作を終了する。
【００６１】
本発明の第２の実施の形態の効果は、第１の実施の形態における効果と同様である。
【００６２】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００６３】
以上、各実施の形態を参照して本発明を説明したが、本発明は上記実施の形態に限定されるものではない。本発明の構成や詳細には、本発明のスコープ内で当業者が理解しえる様々な変更をすることができる。
【００６４】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００６５】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００６６】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００６７】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【符号の説明】
【００６８】
１０    通信インタフェース
１１、２５１    ＣＰＵ
１２    出力装置
１３    入力装置
１４    主記憶装置
１５    二次記憶装置
１００、２００    管理制御装置
１１０、２１０    更新制御部
１２０、２２０    負荷監視部
１４０    情報処理装置制御部
１６０    プログラム記憶部
２３０    起動制御部
２４０    ＲＴＣ
２５２    メモリ
２５３    ＨＤＤ
２６０    待機系プログラム記憶部
２６１    運用系プログラム記憶部
２７０    ＲＡＭ
１０００、２０００    情報処理装置
【図１】
2018147448.tif 000003
【図２】
2018147448.tif 000004
【図３】
2018147448.tif 000005
【図４】
2018147448.tif 000006
【図５】
2018147448.tif 000007